(57)【要約】【課題】伝火薬のエネルギーを効率良く使えるようにする。【解決手段】ベース２ｃにアダプター２ｂ及びディフューザ２ａを接合して一体化する圧力容器２内に、少なくともアダプター２ｂに支持される点火器３と、アダプター２ｂ或いはベース２ｃに支持されるイグナイタチューブ６を内装し、イグナイタチューブ６の内周側に点火器３と伝火薬４を収納し、外周側にガス発生剤５を装入したエアバッグ用インフレータである。伝火薬４の収納空間１３を密閉する区画壁例えば蓋１４をイグナイタチューブ６の上方に備える。蓋１４は、イグナイタチューブ６の軸方向中心軸と直交する断面に対して、当該中心軸に対称な傾斜面である凸形状部１４ａを備える。【効果】伝火薬の使用量を減らすことができる。【選択図】図１
2014184835.tif 000002
【特許請求の範囲】
【請求項１】
ベースにアダプター及びディフューザを接合して一体化する圧力容器内に、少なくとも前記アダプターに支持される点火器と、前記アダプター或いはベースに支持されるイグナイタチューブを内装し、前記イグナイタチューブの内周側に前記点火器と伝火薬を収容し、外周側にガス発生剤を装入したエアバッグ用インフレータであって、
前記伝火薬の収容空間を密閉する区画壁を前記イグナイタチューブの上方に備えると共に、この区画壁は、前記イグナイタチューブの軸方向中心軸と直交する断面に対して、当該中心軸に対称な傾斜面を備えていることを特徴とするエアバッグ用インフレータ。
【請求項２】
前記区画壁の前記傾斜面は、前記伝火薬の装入空間に向かう凸形状であることを特徴とする請求項１に記載のエアバッグ用インフレータ。
【請求項３】
前記区画壁の前記傾斜面は、前記伝火薬の装入空間の外側に向かう凸形状であることを特徴とする請求項１に記載のエアバッグ用インフレータ。
【請求項４】
前記傾斜面の凸形状はドーム状であることを特徴とする請求項２又は３に記載のエアバッグ用インフレータ。
【請求項５】
前記傾斜面の凸形状は円錐状であることを特徴とする請求項２又は３に記載のエアバッグ用インフレータ。
【請求項６】
前記傾斜面の凸形状の裾野部分に水平部を有することを特徴とする請求項２〜５の何れかに記載のエアバッグ用インフレータ。
【請求項７】
前記区画壁は、イグナイタチューブの上部に設ける蓋であることを特徴とする請求項２〜６の何れかに記載のエアバッグ用インフレータ。
【請求項８】
前記ガス発生剤を装入する空間を覆うリテーナをさらに備え、このリテーナは前記蓋とは別体で構成されることを特徴とする請求項７に記載のエアバッグ用インフレータ。
【請求項９】
前記ガス発生剤を装入する空間を覆うリテーナをさらに備え、このリテーナは前記蓋と一体に形成されることを特徴とする請求項７に記載のエアバッグ用インフレータ。
【請求項１０】
前記蓋の厚さは前記イグナイタチューブの厚さよりも厚いことを特徴とする請求項７〜９の何れかに記載のエアバッグ用インフレータ。
【発明の詳細な説明】
【技術分野】
【０００１】
本発明は、安全装置として自動車に設置されるエアバッグに供給するガスを発生するインフレータに関するものである。
【背景技術】
【０００２】
エアバッグ装置は、インフレータで発生したガスによりエアバッグを展開させることで、衝突の際の衝撃から乗員を保護するものである。
【０００３】
図７はシングルステージタイプのインフレータ１の構造の一例を説明する中央縦断面図で、例えば以下のように構成されている。２はディフューザ２ａとアダプター２ｂとベース２ｃからなる圧力容器で、衝突検知信号によって作動する点火器３と、点火器３の着火エネルギーを瞬時に増幅する伝火薬４と、瞬時に大量のガスを発生するガス発生剤５を内装している。
【０００４】
衝突時は、点火器３により伝火薬４を介してガス発生剤５が着火され、発生したガスがディフューザ２ａの側壁に設けられたガス噴出孔２ａａから噴出してエアバッグを展開させる。なお、図７中の６は伝火薬４とガス発生剤５を区画すべくベース２ｃに取付けられたイグナイタチューブである。
【０００５】
その際、特許文献１で開示された発明では、発生したガスに含まれる固形残渣の収集とガスの冷却を、一旦ガス発生剤５の上方に設けた環状空間７にガスを案内した後、ガス流路８を介してガス噴出孔２ａａから噴出させることで行っている。
【０００６】
この特許文献１で開示された発明のように、ガス発生剤５の上方に環状空間７を設ける場合、ガス発生剤５を装入する空間の高さよりも伝火薬４を収容するイグナイタチューブ６の高さが高くなる。
【０００７】
このような構造の場合、イグナイタチューブの上方に収容された伝火薬が燃焼を始める頃にはガス発生剤が燃焼を始めてしまうので、イグナイタチューブの上方に収容された伝火薬を十分に利用できず、ガス発生剤を所定の時間内に燃焼できない場合が起こり得る。
【０００８】
なお、ガス発生剤の装入空間の高さを高くして伝火薬の収容空間とガス発生剤の装入空間を同じ高さにすればよいが、その場合、圧力容器の高さが高くなってインフレータが大型化する。
【先行技術文献】
【特許文献】
【０００９】
【特許文献１】特開２０１２−６１９６０号公報
【発明の概要】
【発明が解決しようとする課題】
【００１０】
本発明が解決しようとする問題点は、特許文献１に開示されたインフレータの場合、イグナイタチューブの上方に収容された伝火薬まで十分に利用できず、短時間で効率的にガス発生剤を燃焼できない場合が起こり得るという点である。
【課題を解決するための手段】
【００１１】
本発明のエアバッグ用インフレータは、
イグナイタチューブに収容された伝火薬の効率的な利用を可能にするために、
ベースにアダプター及びディフューザを接合して一体化する圧力容器内に、少なくとも前記アダプターに支持される点火器と、前記アダプター或いはベースに支持されるイグナイタチューブを内装し、前記イグナイタチューブの内周側に前記点火器と伝火薬を収容し、外周側にガス発生剤を装入したエアバッグ用インフレータであって、
前記伝火薬の収容空間を密閉する区画壁を前記イグナイタチューブの上方に備えると共に、この区画壁は、前記イグナイタチューブの軸方向中心軸と直交する断面に対して、当該中心軸に対称な傾斜面を備えていることを最も主要な特徴としている。
【００１２】
すなわち、本発明では、伝火薬の収容空間を密閉する区画壁に、イグナイタチューブの軸方向中心軸と直交する断面に対して、当該中心軸に対称な傾斜面を備えさせることで、伝火薬の熱エネルギーを任意の方向に向けて好ましい燃焼状態を得ることができる。
【００１３】
伝火薬の収容空間を密閉する区画壁に形成する傾斜面は、伝火薬の収容空間に向かう凸形状であっても、伝火薬の収容空間の外側に向かう凸形状であっても良い。この凸形状としては、例えばドーム状や円錐状等が考えられる。また、前記傾斜面の凸形状の裾野部に水平部を有するものでも良い。
【００１４】
前記傾斜面を伝火薬の収容空間に向かう凸形状とした場合は、伝火薬のエネルギーをイグナイタチューブ内の周縁方向（外周側）に導くことができる。これにより、イグナイタチューブの底の方まで火炎を効率良く導くことができる。また、前記傾斜面を伝火薬の収容空間の外側に向かう凸形状とした場合は、伝火薬のエネルギーを一旦中央に集中した後にイグナイタチューブ内の周縁方向（外周側）に向かって放出可能で、やはり火炎をイグナイタチューブ内全体に効率良く導くことができる。
【発明の効果】
【００１５】
本発明では、伝火薬の熱エネルギーを一旦中央に集中した後、又は直接的に外周側に向かって伝搬・放出するので、イグナイタチューブ内の圧力上昇が増大して外周側に向かう熱エネルギーが大きくなる。従って、伝火薬の使用量を減らすことができる。
【図面の簡単な説明】
【００１６】
【図１】本発明のインフレータの第１の実施例の中央縦断面図である。
【図２】本発明のインフレータにおける伝火薬に着火した際の熱エネルギーの伝播の一例を説明する図である。
【図３】（ａ）〜（ｇ）は本発明のインフレータの構成要素である区画壁の他の実施例を示した図である。
【図４】本発明のインフレータにおける伝火薬に着火した際の熱エネルギーの伝播の他の例を説明する図である。
【図５】本発明のインフレータの第２の実施例の中央縦断面図である。
【図６】本発明のインフレータの第３の実施例の中央縦断面図である。
【図７】従来のインフレータの中央縦断面図である。
【発明を実施するための形態】
【００１７】
本発明では、イグナイタチューブに収容された伝火薬の効率的な利用を可能にするという目的を、伝火薬の収容空間を密閉する区画壁に、イグナイタチューブの軸方向中心軸と直交する断面に対して、当該中心軸に対称な傾斜面を備えさせることで実現した。
【実施例】
【００１８】
以下、本発明の実施例を、図１〜図６を用いて説明する。
図１は本発明のインフレータの第１の実施例の中央縦断面図である。
【００１９】
１１は本発明のエアバッグ用インフレータであり、例えば、ベース２ｃに対して、イグナイタチューブ６を保持したアダプター２ｂとディフューザ２ａを接合一体化する圧力容器２内に、点火器３と、伝火薬４と、ガス発生剤５とフィルター１２を内装している。
【００２０】
このうち、電気信号によって作動する点火器３は、アダプター２ｂに支持されている。また、前記フィルター１２は、圧力容器２の側壁部内周側に沿って配置されている。また、前記点火器３と、この点化器３の着火エネルギーにより燃焼する伝火薬４は、イグナイタチューブ６の内周側に収容される一方、伝火薬４の燃焼熱によりガスを発生するガス発生剤５は、イグナイタチューブ６の外周側とフィルター１２の間に装入される。このガス発生剤５を装入する空間（以下、装入空間という。）１５はリテーナ１６によって覆われている。
【００２１】
本発明では、伝火薬４を収容する空間（以下、収容空間という。）１３を形成するイグナイタチューブ６を密閉する区画壁、例えば蓋１４を、イグナイタチューブ６の上部に嵌合させることで取付けている。
【００２２】
そして、この蓋１４の収容空間１３と面する側を、イグナイタチューブ６の軸方向中心軸と直交する断面に対して、前記軸方向中心軸に対称な傾斜面、例えば収容空間１３の外側に向かうドーム状の凸形状と成している。以下、この凸形状の傾斜面を凸形状部１４ａという。
【００２３】
このような凸形状部１４ａを形成した蓋１４で収容空間１３を密閉した場合、伝火薬４が燃焼した際に発生する熱エネルギーは、図２の紙面上方の図に矢印で示すように、一旦、蓋１４の中央（イグナイタチューブ６の軸方向中心部分）に集中する。
【００２４】
この熱エネルギーの集中によりイグナイタチューブ６内の圧力上昇が増大し、図２の紙面下方の図に矢印で示すように、イグナイタチューブ６の外周側に向けてより大きなエネルギーで燃焼熱を散乱させる。散乱した燃焼熱は、イグナイタチューブ６の側壁に設けた開口６ａから噴出してガス発生剤５を着火する。
【００２５】
従って、上記作用を奏する前記蓋１４は、伝火薬４が燃焼した際に発生する熱エネルギーによって変形することがないように、その厚さをイグナイタチューブ６の厚さよりも厚くしておくことがこのましい。
【００２６】
上記のように、本発明のインフレータ１１によれば、伝火薬４の熱エネルギーを効率良くガス発生剤５に伝えることができるので、イグナイタチューブ６に収容する伝火薬４を効率的に利用することができる。
【００２７】
従って、伝火薬４の効率的な利用に伴って、使用する伝火薬４を減らすことができる。そして、伝火薬４の使用量の減少に伴い、伝火薬の影響が減少してガス発生剤５に着火する際のバラツキも少なくなる。
【００２８】
本発明は上記の例に限らず、各請求項に記載された技術的思想の範疇に含まれるものであれば、適宜実施の形態を変更しても良いことは言うまでもない。
【００２９】
伝火薬４が燃焼したときに、収容空間１３内における熱エネルギーの集約効率を上昇させることができるものであれば、蓋１４の収容空間１３と面する側に形成する凸形状部１４ａは、収容空間１３の外側に向かうドーム状に限らない。
【００３０】
例えば、図３（ａ）に示したように、収容空間１３の外側に向かう円錐状でも良い。また、収容空間１３に向かう円錐状（図３（ｂ））やドーム状（図３（ｃ））でも良い。さらに、図３（ｄ）〜（ｆ）に示すように、図１及び図３（ａ）〜（ｃ）に示した凸形状部１４ａの裾野部分に水平部１４ｂを有するものでも良い。
【００３１】
ちなみに、前記凸形状部１４ａを図３（ｃ）に示すような収容空間１３に向かうドーム状とした場合は、伝火薬４が燃焼した際に発生する熱エネルギーを、イグナイタチューブ６内の周縁方向（外周側）に導くことができるようになる（図４の紙面上方の図の矢印参照）。
【００３２】
これにより、図４の紙面下方の図に矢印で示すように、イグナイタチューブ６の底の方まで火炎を効率良く導くことができ、イグナイタチューブ６の下方に収容された伝火薬４を十分に利用することができる。
【００３３】
また、上記第１の実施例では、伝火薬４の収容空間１３を密閉する蓋１４とガス発生剤５の装入空間１５を覆うリテーナ１６を別体で構成しているが、図５に示すように、リテーナ１６と蓋１４を一体に形成したものでも良い。
【００３４】
すなわち以上で述べたエアバッグ用インフレータは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は、説明を目的としたもので、特に限定される主旨のない限り、それに限定されるものではない。
【００３５】
例えば、上記第１、第２の実施例では、発生するガスに含まれる固形残渣の収集とガスの冷却をフィルター１２で行うタイプのインフレータ１１について説明している。しかしながら、本発明は、例えば図６に示すような、従来技術で説明したような、フィルターを設けないタイプのインフレータにも適用が可能である。図６に示した第３の実施例は、リテーナ１６と、凸形状部１４ａを収容空間１３の外側に向かう円錐状とした蓋１４を一体に形成したものである。この第３の実施例では、発生したガスは、リテーナ１６に設けた貫通孔１６ａを通って装入空間１５の上方に形成した空間１７に至り、その後外筒１８とディフューザ２ａの側壁内面との間に形成したガス流路８を通ってガス噴出孔２ａａから噴出する。
【００３６】
また、本明細書ではシングルステージタイプのインフレータについて説明したが、ダブルステージタイプのインフレータにも適用できる。
【符号の説明】
【００３７】
２    圧力容器
２ａ    ディフューザ
２ｂ    アダプター
２ｃ    ベース
３    点火器
４    伝火薬
５    ガス発生剤
６    イグナイタチューブ
１１    インフレータ
１３    装入空間
１４    蓋
１４ａ    凸形状部
１４ｂ    水平部
１５    装入空間
１６    リテーナ
【図１】
2014184835.tif 000003
【図２】
2014184835.tif 000004
【図３】
2014184835.tif 000005
【図４】
2014184835.tif 000006
【図５】
2014184835.tif 000007
【図６】
2014184835.tif 000008
【図７】
2014184835.tif 000009